(57)【特許請求の範囲】
【請求項１】
シートを積み重ねて収容する収容部と、
前記収容部からシートを取り出して搬送する搬送部と、
前記搬送部によって複数のシートが重なった状態で搬送されたことを検知する第１検知部と、
前記搬送部によって搬送されたシートであって、特定の電磁気的な特性を有するシートを検知する第２検知部と、
前記搬送部によって搬送されたシートに画像を印刷する印刷部と、
前記第１検知部によって検知された重なった状態で搬送されたシートの枚数と、前記第２検知部によって検知された前記特定の電磁気的な特性を有するシートの枚数とが異なる場合に、前記搬送部によって搬送されたシートの枚数と前記特定の電磁気的な特定を有するシートの枚数とが一致する場合とは異なる予め定められた処理を実行するための制御を行う制御部と
を備えた印刷装置。
【請求項２】
前記第１検知部は、前記第２検知部よりもシート搬送方向上流側に設けられ、複数のシートが重なった状態で搬送されたことを検知するとともにシートの後端の通過を検知し、
前記第２検知部は、前記第１検知部によりシートの後端の通過が検知されてから予め定められた時間が経過したならば、前記特定の電磁気的な特性を有するシートを検知する
請求項１に記載の印刷装置。
【請求項３】
前記制御部は、前記予め定められた処理として、印刷の中止、警報の出力、予め定められた通知先への通知、印刷する画像の変更のうちの少なくとも１つを実行するための制御を行う
請求項１又は２に記載の印刷装置。
【請求項４】
シートを積み重ねて収容する収容部と、前記収容部からシートを取り出して搬送する搬送部と、前記搬送部によって複数のシートが重なった状態で搬送されたことを検知する第１検知部と、前記搬送部によって搬送されたシートであって、特定の電磁気的な特性を有するシートを検知する第２検知部と、前記搬送部によって搬送されたシートに画像を印刷する印刷部とを備えた印刷装置を制御する制御装置であって、
前記第１検知部によって検知された重なった状態で搬送されたシートの枚数と、前記第２検知部によって検知された前記特定の電磁気的な特性を有するシートの枚数とが異なる場合に、前記搬送部によって搬送されたシートの枚数と前記特定の電磁気的な特定を有するシートの枚数とが一致する場合とは異なる予め定められた処理を実行するための制御を行う制御部を備えた制御装置。
【請求項５】
シートを積み重ねて収容する収容部と、前記収容部からシートを取り出して搬送する搬送部と、前記搬送部によって複数のシートが重なった状態で搬送されたことを検知する第１検知部と、前記搬送部によって搬送されたシートであって、特定の電磁気的な特性を有するシートを検知する第２検知部と、前記搬送部によって搬送されたシートに画像を印刷する印刷部とを備えた印刷装置を制御するコンピュータを、
前記第１検知部によって検知された重なった状態で搬送されたシートの枚数と、前記第２検知部によって検知された前記特定の電磁気的な特性を有するシートの枚数とが異なる場合に、前記搬送部によって搬送されたシートの枚数と前記特定の電磁気的な特定を有するシートの枚数とが一致する場合とは異なる予め定められた処理を実行するための制御を行う制御手段として機能させるためのプログラム。
【発明の詳細な説明】
【技術分野】
【０００１】
本発明は、印刷装置、制御装置及びプログラムに関する。
【背景技術】
【０００２】
特許文献１には、印刷用紙の重送を検知する技術が記載されている。この技術においては、印刷用紙に複数のＲＦＩＤ（Radio Frequency IDentifier）素子が埋め込まれている。画像形成装置は、印刷用紙の搬送方向において画像形成部の上流側にＲＦＩＤ素子から識別情報を読み取る読取部を備える。画像形成装置は、読取部により読み取られた識別情報の数が特定の数を超えた場合に、印刷用紙の重送が発生したと判断し、印刷用紙の搬送停止などの処理を実行する。
【先行技術文献】
【特許文献】
【０００３】
【特許文献１】特開２００８−６５１８８号公報
【発明の概要】
【発明が解決しようとする課題】
【０００４】
本発明は、機密文書用のシートと機密文書用でないシートとが重なった状態で搬送されることを把握することを目的とする。
【課題を解決するための手段】
【０００５】
請求項１に係る発明は、シートを積み重ねて収容する収容部と、前記収容部からシートを取り出して搬送する搬送部と、前記搬送部によって複数のシートが重なった状態で搬送されたことを検知する第１検知部と、前記搬送部によって搬送されたシートであって、特定の電磁気的な特性を有するシートを検知する第２検知部と、前記搬送部によって搬送されたシートに画像を印刷する印刷部と、前記第１検知部によって検知された重なった状態で搬送されたシートの枚数と、前記第２検知部によって検知された前記特定の電磁気的な特性を有するシートの枚数とが異なる場合に、前記搬送部によって搬送されたシートの枚数と前記特定の電磁気的な特定を有するシートの枚数とが一致する場合とは異なる予め定められた処理を実行するための制御を行う制御部とを備えた印刷装置を提供する。
請求項２に係る発明は、請求項１に記載の印刷装置において、前記第１検知部は、前記第２検知部よりもシート搬送方向上流側に設けられ、複数のシートが重なった状態で搬送されたことを検知するとともにシートの後端の通過を検知し、前記第２検知部は、前記第１検知部によりシートの後端の通過が検知されてから予め定められた時間が経過したならば、前記特定の電磁気的な特性を有するシートを検知する。
請求項３に係る発明は、請求項１又は２に記載の印刷装置において、前記制御部は、前記予め定められた処理として、印刷の中止、警報の出力、予め定められた通知先への通知、印刷する画像の変更のうちの少なくとも１つを実行するための制御を行う。
請求項４に係る発明は、シートを積み重ねて収容する収容部と、前記収容部からシートを取り出して搬送する搬送部と、前記搬送部によって複数のシートが重なった状態で搬送されたことを検知する第１検知部と、前記搬送部によって搬送されたシートであって、特定の電磁気的な特性を有するシートを検知する第２検知部と、前記搬送部によって搬送されたシートに画像を印刷する印刷部とを備えた印刷装置を制御する制御装置であって、前記第１検知部によって検知された重なった状態で搬送されたシートの枚数と、前記第２検知部によって検知された前記特定の電磁気的な特性を有するシートの枚数とが異なる場合に、前記搬送部によって搬送されたシートの枚数と前記特定の電磁気的な特定を有するシートの枚数とが一致する場合とは異なる予め定められた処理を実行するための制御を行う制御部を備えた制御装置を提供する。
請求項５に係る発明は、シートを積み重ねて収容する収容部と、前記収容部からシートを取り出して搬送する搬送部と、前記搬送部によって複数のシートが重なった状態で搬送されたことを検知する第１検知部と、前記搬送部によって搬送されたシートであって、特定の電磁気的な特性を有するシートを検知する第２検知部と、前記搬送部によって搬送されたシートに画像を印刷する印刷部とを備えた印刷装置を制御するコンピュータを、前記第１検知部によって検知された重なった状態で搬送されたシートの枚数と、前記第２検知部によって検知された前記特定の電磁気的な特性を有するシートの枚数とが異なる場合に、前記搬送部によって搬送されたシートの枚数と前記特定の電磁気的な特定を有するシートの枚数とが一致する場合とは異なる予め定められた処理を実行するための制御を行う制御手段として機能させるためのプログラムを提供する。
【発明の効果】
【０００６】
請求項１、４、５に係る発明によれば、機密文書用のシートと機密文書用でないシートとが重なった状態で搬送されることを把握することができる。
請求項２に係る発明によれば、複数のシートが重なった状態で搬送されたことを検知するセンサとシートの後端の通過を検知するセンサとが別体の場合に比べて、センサの数を削減することができる。
請求項３に係る発明によれば、多様性に富んだ情報漏洩対策を講ずることができる。
【図面の簡単な説明】
【０００７】
【図１】本実施形態のハードウェア構成を示す図。
【図２】収容部２１、搬送部２２、第１検知部２６、第２検知部２７を示す図。
【図３】印刷装置２００の動作を示す流れ図。
【発明を実施するための形態】
【０００８】
機密文書の作成に用いられる記録媒体として、磁性体が漉き込まれたシート（以下、磁性体付きシートという。）が知られている。シートは、例えば紙である。磁性体が有する電磁気的な特性を利用して磁性体を検知することで、磁性体付きシートと磁性体付きでないシートとが判別される。磁性体付きシートの利用形態の一例として、機密文書の取り扱いが許可されている許可区域内における機密文書の印刷の例について説明する。機密文書の取り扱いとは、機密文書の保管、閲覧、作成（印刷を含む）、携行などの行為である。許可区域からの機密文書の持ち出しは、規則により禁止されているが、規則に反して機密文書が許可区域から持ち出されることがあり得る。許可区域からの機密文書の持ち出しを監視するために、許可区域の出入り口に磁性体を検知する検知装置が設置される。
【０００９】
許可区域内で機密文書を印刷する場合には、規則により磁性体付きシートへの印刷だけが許可されている。磁性体付きでないシートへの印刷を防止するための構成として、シートの磁性体の有無を印刷が行われる前に判別し、磁性体付きでない場合にはそのシートに印刷を行わないようにすることが考えられる。しかし、磁性体付きシートと磁性体付きでないシートとが重なった状態で搬送された場合、磁性体が検知されるため、印刷が行われることになり、磁性体付きでないシートに印刷が行われるおそれがある。そこで、本実施形態では、磁性体付きシートと磁性体付きでないシートとが重なった状態で搬送されたために磁性体付きでないシートに印刷が行われることを防止するための技術を提供する。なお、シートの材質は、印刷が可能であれば、いかなる材質でもよい。
【００１０】
本発明の実施形態の一例について説明する。
＜構成＞
図１は、本実施形態のハードウェア構成を示す図である。印刷装置２００は、制御部１１、記憶部１２、通信部１３、収容部２１、搬送部２２、印刷部２３、画像処理部２４、ＵＩ（User Interface）部２５、第１検知部２６及び第２検知部２７を備える。このうち、制御部１１、記憶部１２及び通信部１３により制御装置１００が構成される。なお、制御装置１００が印刷装置２００の外部の装置として構成され、制御装置１００と印刷装置２００とが通信手段で接続されていてもよい。この場合、ＵＩ部２５が制御装置１００に設けられていてもよい。
【００１１】
制御部１１は、ＣＰＵ（Central Processing Unit）などの演算装置と、ＲＯＭ（Read Only Memory）やＲＡＭ（Random Access Memory）などの記憶装置とを備える（いずれも図示省略）。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部１２は、例えばハードディスク記憶装置を備え、ＯＳやアプリケーションプログラムなどが記憶されている。通信部１３は、外部の装置との間で通信を行うための通信Ｉ／Ｆ（Interface）である。
【００１２】
図２は、収容部２１、搬送部２２、第１検知部２６、第２検知部２７を示す図である。
収容部２１は、シート状の記録媒体（以下、シートという。）を積み重ねた状態で収容する。収容部２１は、例えば、上部が開放された箱状に形成されている。
搬送部２２は、収容部２１に収容されたシートＰを取り出して搬送路２２１に沿って搬送する。搬送部２２は、搬送路２２１と送り出しローラ２２２と搬送ローラ２２３を備える。最も上に位置するシートＰに送り出しローラ２２２が押し当てられ、制御部１１からの指示に従って送り出しローラ２２２が回転することにより、シートＰが搬送路２２１に送り出される。送り出されたシートＰは、搬送路２２１に設けられた搬送ローラ２２３によって印刷部２３へ搬送される。
【００１３】
シートＰは、例えば、磁性ワイヤが漉き込まれたシート（以下、磁性体付きシートという。）である。磁性ワイヤは、アモルファス磁性材料で作製された、シートＰの厚さよりも細いワイヤであり、振動磁界が作用すると周期的な磁化反転を起こす（大バルクハウゼン効果）。シートＰには、その全体に複数の磁性ワイヤが不規則的又は規則的に配置されている。なお、収容部２１に収容されるシートＰには、磁性体付きでないシートが混入している場合がある。例えば、不良品（製造時に磁性体が漉き込まれなかったシートや、磁性体が偏在しているシートなど）が混入している場合や、偶発的又は意図的に磁性体付きでないシートが混入される場合がある。つまり、収容部２１に収容されるシートＰは、磁性体付きシートの場合と、磁性体付きでないシートの場合とがあり得る。磁性体付きシートは、機密文書用のシートであり、磁性体付きでないシートは、機密文書用でないシートである。
【００１４】
第１検知部２６は、シートＰの重送を検知する。重送とは、複数のシートＰが重なった状態で搬送されることを指す。具体的には、第１検知部２６は、例えば、変位センサであり、シートＰに光を照射する光源２６１と、シートＰで反射された散乱光を受光する受光素子２６２と、検知回路２６３とを備える。受光素子２６２が受光する散乱光のピークの位置は光源２６１とシートＰとの距離に応じて変化するため、検知回路２６３は、受光した散乱光のピークの変位量に基づいて、送り出されたシートＰの枚数を検知する。第１検知部２６は、検知された枚数が２枚以上である場合に、重送が発生したと判定する。
【００１５】
また、第１検知部２６は、シートＰの後端の通過を検知する。具体的には、検知回路２６３は、受光した散乱光のピークの位置が変化したことにより、シートＰの後端が第１検知部２６の位置を通過したことを検知する。
【００１６】
第２検知部２７は、磁性体付きシートを検知する。具体的には、第２検知部２７は、励磁コイル２７１、電源２７２、アンテナ２７３、検知回路２７４を備える。励磁コイル２７１は、電源２７２から交流電力の供給を受けて振動磁界を発生する。振動磁界が磁性ワイヤに作用すると、磁性ワイヤに周期的な磁化反転が起こり、磁性ワイヤは磁化反転に伴う電気的なパルスを発生する。
【００１７】
検知回路２７４は、アンテナ２７３が受信したパルスの波形によって、磁性体の有無を判定する。具体的には、予め、磁性体付きシートに振動磁界を作用させた場合に発生するパルスの波形が検知回路２７４に記憶されている。検知回路２７４は、受信したパルスの波形と予め記憶した波形とを比較して両者の一致度を求め、この一致度により磁性体の有無を判定する。一致度は、例えば、受信したパルスの波形と予め記憶した波形の相関係数によって表される。検知回路２７４は、算出した相関係数が閾値に達した場合に、磁性体付きシートであると判定し、磁性体付きシートを検知したことを示す検知信号を出力する。
【００１８】
また、第２検知部２７は、磁性体付きシートの枚数を推定する。具体的には、予め、１枚の磁性体付きシートに振動磁界を作用させた場合に発生するパルスの強度が検知回路２７４に記憶されている。パルスの強度は、例えば、パルスの振幅の最大値である。検知回路２７４は、受信したパルスの強度が予め記憶した強度の何倍であるかを求めることにより磁性体付きシートの枚数を推定する。例えば、受信したパルスの強度が予め記憶した強度の約２倍であるならば、磁性体付きシートの枚数は２枚と推定される。
【００１９】
図１の説明に戻る。
画像処理部２４は、制御装置１００からＰＤＬ（Page Description Language）データなどの印刷データを入力し、この印刷データをラスタデータに変換し、ラスタデータを印刷部２３に出力する。
印刷部２３は、画像処理部２４から出力されたラスタデータに基づく画像を、搬送路２２１に沿って搬送されるシートＰに印刷する。印刷部２３による印刷の方式は、電子写真方式、インクジェット方式など、いかなる方式でもよい。
【００２０】
ＵＩ部２５は、表示部と受付部とを備える（図示省略）。表示部は、例えば液晶表示装置であり、ユーザが印刷装置２００を操作するための操作画面を表示する。受付部は、例えば表示部の表示面を覆うように設けられたタッチパネルやキーボードなどであり、ユーザが行った操作を受け付けて、その操作の内容を表す信号を制御装置１００に出力する。制御装置１００は、この操作の内容に従って印刷装置２００を制御する。
【００２１】
＜動作＞
図３は、印刷装置２００の動作を示す流れ図である。画像処理部２４から１ページ分のラスタデータが印刷部２３に出力されるのと同期して、印刷装置２００がこの流れ図に従った処理を実行する。
最初に、ステップＳ０１において、搬送部２２は、収容部２１からシートＰを送り出す。
次に、ステップＳ０２において、第１検知部２６は、シートＰの後端が通過したか否かを判定する。シートＰの後端が通過したならば（ステップＳ０２：ＹＥＳ）、印刷装置２００の処理はステップＳ０３に進む。
【００２２】
次に、ステップＳ０３において、第２検知部２７は、第１検知部２６によりシートの後端の通過が検知されてから予め定められた時間が経過したならば、シートＰの磁性体の有無を判定する。外来ノイズの影響を最小に抑えるためには、第２検知部２７の励磁コイル２７１の位置にシートＰの中央部が位置するタイミングで検知を行うのが最適である。第１検知部２６によってシートＰの後端の通過が検知されてから励磁コイル２７１の位置にシートＰの中央部が位置するまでに要する所要時間は、第１検知部２６の光源２６１の位置と第２検知部２７の励磁コイル２７１の位置と搬送部２２による搬送速度とから求まる。第２検知部２７は、第１検知部２６によってシートＰの後端の通過が検知されてからこの所要時間が経過した後、シートＰの磁性体の有無を判定する。磁性体が有る場合（ステップＳ０３：ＹＥＳ）には、印刷装置２００の処理はステップＳ０４に進み、磁性体がない場合（ステップＳ０３：ＮＯ）には、印刷装置２００の処理はステップＳ０９に進む。
【００２３】
次に、ステップＳ０４において、第２検知部２７は、磁性体付きシートの枚数を求め、その枚数を制御部１１に出力する。
次に、ステップＳ０５において、第１検知部２６は、シートＰの重送の有無を判定する。重送が有る場合（ステップＳ０５：ＹＥＳ）には、印刷装置２００の処理はステップＳ０６に進み、重送がない場合（ステップＳ０５：ＮＯ）には、印刷装置２００の処理はステップＳ０８に進む。
次に、ステップＳ０６において、第１検知部２６は、シートＰの重送の枚数を求め、その枚数を制御部１１に出力する。
【００２４】
次に、ステップＳ０７において、制御部１１は、磁性体付きシートの枚数と重送の枚数とを比較する。磁性体付きシートの枚数と重送の枚数とが一致した場合（ステップＳ０７：ＹＥＳ）には、印刷装置２００の処理はステップＳ０８に進み、一致しない場合（ステップＳ０７：ＮＯ）には、印刷装置２００の処理はステップＳ０９に進む。
次に、ステップＳ０８において、制御部１１は、画像処理部２４から出力されたラスタデータに基づく画像の印刷を印刷部２３に指示する。こうして、磁性体付きシート（機密文書用のシート）に印刷が行われる。重送が発生せずに磁性体付きシートが搬送された場合に印刷が行われることは言うまでもない。また、重送が発生した場合であっても、磁性体付きシートの枚数と重送の枚数とが一致した場合には印刷が行われる。つまり、本実施形態では、搬送されたシートの枚数と磁性体付きシートの枚数とが一致した場合に印刷が行われる。
【００２５】
他方、ステップＳ０９において、制御部１１は、予め定められた処理を実行する。この処理は、不正行為の防止に関する処理であり、換言すれば、搬送されたシートの枚数と磁性体付きシートの枚数とが一致した場合とは異なる処理である。ここでは、処理の一例として、印刷の中止について説明する。磁性体付きシートの枚数と重送の枚数とが一致しない場合とは、重送された複数のシートに磁性体付きでないシートが混入している場合（重送された複数のシートの全部が磁性体付きでないシートである場合も含む）である。この場合、印刷が行われる側（例えば、電子写真の場合、トナー像の転写が行われる側）に磁性体付きシートが位置する場合と、印刷が行われる側に磁性体付きでないシートが位置する場合とがあり得るが、印刷が行われる側にどちらのシートが位置するかに関わらず、制御部１１は、印刷を中止する。より具体的には、重送されたシートを印刷をせずに印刷部２３を通過させて印刷装置２００の外に排出してもよいし、重送されたシートの搬送を中止してもよい。このようにして、磁性体付きでないシートに印刷が行われることが防止される。
【００２６】
つまり、制御部１１は、第１検知部２６によって検知された重なった状態で搬送されたシートの枚数と、第２検知部２７によって検知された特定の電磁気的な特性を有するシートの枚数とが異なる場合に、搬送部２２によって搬送されたシートの枚数と特定の電磁気的な特定を有するシートの枚数とが一致する場合とは異なる予め定められた処理を実行するための制御を行う構成の一例である。磁性体付きシートは、特定の電磁気的な特性を有するシートの一例である。
また、第１検知部２６は、第２検知部２７よりもシート搬送方向上流側に設けられ、複数のシートが重なった状態で搬送されたことを検知するとともにシートの後端の通過を検知する構成の一例である。また、第２検知部２７は、第１検知部２６によりシートの後端の通過が検知されてから予め定められた時間が経過したならば、特定の電磁気的な特性を有するシートを検知する構成の一例である。
本実施形態によれば、機密文書用のシートと機密文書用でないシートとが重なった状態で搬送されたために機密文書用でないシートに印刷が行われることが防止される。
【００２７】
＜変形例＞
実施形態を次のように変形してもよい。また、複数の変形例を組み合わせてもよい。
＜１＞
実施形態では、第１検知部２６が、重送を検知する機能とシート後端の通過を検知する機能を兼ね備えた変位センサである例を示したが、シート後端の通過を検知するセンサとは別に、超音波などを用いて重送を検知するセンサを備えていてもよい。
【００２８】
＜２＞
実施形態では、機密文書用のシートとして磁性体付きシートの例を示したが、磁性体の代わりにＲＦＩＤタグなどを備えたシートを用いてもよい。この場合、第２検知部２７は、ＲＦＩＤタグから受信した電波の強度に基づいて、ＲＦＩＤタグを備えたシートの枚数を求める。要するに、機密文書用のシートは、特定の電磁気的な特性を有するシートであればよい。
【００２９】
＜３＞
実施形態では、受信したパルスの振幅に基づいて磁性体付きシートの枚数を推定する例を示したが、パルスを積分して算出した面積に基づいて枚数を推定してもよい。
【００３０】
＜４＞
実施形態では、重送された複数のシートに磁性体付きでないシートが混入している場合に印刷を中止する例を示したが、印刷の中止以外の処理を実行してもよい。例えば、異常の発生を知らせる音や光などの警報を出力してもよい。あるいは、印刷装置２００に印刷の指示を送信した送信元のコンピュータなどに異常を知らせる通知を送信してもよい。あるいは、印刷する画像を変更してもよい。例えば、重送されたシートに「このシートは使用できません。」などの警告文を印刷してもよい。また、これらの処理のうち２つ以上の処理を実行してもよい。要するに、機密文書用のシートと機密文書用でないシートとが重なった状態で搬送されることが把握されるように構成されていればよい。
【００３１】
磁性体付きでないシートの意図的な混入への対策として、以下の構成を適用してもよい。意図的な混入の典型的な例として、機密文書の持ち出しを画策するユーザが磁性体付きでないシートを収容部２１に収容して印刷装置２００に印刷の指示を送信する例が想定される。この場合、前述の処理（印刷の中止、警報の出力、印刷の指示の送信元への通知、警告文の印刷など）を行ったとしても、第三者に知られずに済んでしまう可能性がある。そこで、第三者に直接、異常を通知する構成が考えられる。第三者とは、例えば、印刷装置２００を管理する管理者である。具体的には、管理者が使用するコンピュータに異常を知らせる通知を送信する。この構成によれば、磁性体付きでないシートが混入されたことが管理者に把握される。このとき、ユーザに関する情報を送信してもよい。ユーザに関する情報とは、例えば、印刷の指示の送信元のコンピュータのＩＤや、印刷装置２００のＵＩ部２５に入力された認証用のユーザＩＤなどである。この構成によれば、不正行為に関与した可能性のあるユーザが特定される。
【００３２】
重送されたシートを印刷をせずに排出する構成の場合、通常の印刷が行われたシートとは別の場所に排出するように搬送路２２１が分岐していてもよい。この場合、重送されたシートを収容する鍵付きの収容部を搬送路２２１の終点に設け、管理者がこの鍵を管理するようにしてもよい。この構成によれば、管理者のコンピュータに異常が通知された場合に管理者が収容部を開けることにより、磁性体付きでないシートの混入が管理者に把握される。また、不正行為に関与したユーザが排出されたシートを持ち去ることによって不正行為の証拠が隠滅されることが防止される。また、第１検知部２６又は第２検知部２７で誤検知があった場合、管理者のコンピュータに異常が通知されたにも関わらず収容部に磁性体付きでないシートが排出されないことがあり得るが、この構成によれば、誤検知が管理者に把握される。
【００３３】
＜５＞
図３の流れ図におけるステップＳ０５及びＳ０６の処理を、ステップＳ０２とステップＳ０３の間に実行するようにしてもよい。
図３の流れ図におけるステップＳ０２の処理を省略してもよい。
【００３４】
＜６＞
実施形態では、印刷装置２００の制御部１１がアプリケーションプログラムを実行することによって上記の機能を実現する例を示したが、上記の機能の全部又は一部がハードウェア回路で印刷装置２００に実装されていてもよい。また、このプログラムを、光記録媒体、半導体メモリ等、コンピュータで読み取り可能な記録媒体に記録して提供し、この記録媒体からプログラムを読み取って印刷装置２００にインストールするようにしてもよい。また、このプログラムを電気通信回線で提供してもよい。
【符号の説明】
【００３５】
１００…制御装置、１１…制御部、１２…記憶部、１３…通信部、２００…印刷装置、２１…収容部、２２…搬送部、２２１…搬送路、２２２…送り出しローラ、２２３…搬送ローラ、２３…印刷部、２４…画像処理部、２５…ＵＩ部、２６…第１検知部、２６１…光源、２６２…受光素子、２６３…検知回路、２７…第２検知部、２７１…励磁コイル、２７２…電源、２７３…アンテナ、２７４…検知回路
【図１】
0006455267.tif 000002
【図２】
0006455267.tif 000003
【図３】
0006455267.tif 000004